(57)【要約】【課題】  本発明は籾と玄米との判別のみならず、うるち玄米と餅玄米との判別をできるようして多くの種類の穀粒を適切な精白度で自動精米処理できるようにすることを目的とする。【解決手段】  籾摺装置（７）と、籾摺装置（７）の後工程にある精米装置（１０）と、光源（５２ａ）及び光源（５２ａ）を穀粒に照射して透過した光を受光する太陽電池パネル（５２ｂ）からなる穀粒検出器（５２）と、前記透過した光量によって変化する太陽電池パネル（５２ｂ）の発電量を検出し、該発電量から籾、うるち玄米、餅玄米の別を判別する穀粒判別手段（２６）とを設けた自動籾摺精米設備とする。【選択図】図４
2008194557.tif 000002
【特許請求の範囲】
【請求項１】
籾摺装置（７）と、籾摺装置（７）の後工程にある精米装置（１０）と、光源（５２ａ）及び光源（５２ａ）を穀粒に照射して透過した光を受光する太陽電池パネル（５２ｂ）からなる穀粒検出器（５２）と、前記透過した光量によって変化する太陽電池パネル（５２ｂ）の発電量を検出し、該発電量から籾、うるち玄米、餅玄米の別を判別する穀粒判別手段（２６）とを設けた自動籾摺精米設備。
【請求項２】
籾摺装置（７）の前工程に籾又は玄米を投入する穀粒投入容器（２）を設け、籾摺装置（７）と精米装置との間の工程に玄米を一時貯留する玄米貯留容器（１３）を設け、穀粒検出器（５２）を前記穀粒投入容器（２）と玄米貯留容器（１３）のいずれにも設けたことを特徴とする請求項１記載の自動籾摺精米設備。
【請求項３】
精米装置（１０）の精白度を設定する白度選択スイッチ（２４）を設け、白度選択スイッチ（２４）は精白度の高い順に上白スイッチ（２４ａ）と標準スイッチ（２４ｂ）と八分スイッチ（２４Ｃ）を設け、穀粒判別手段（２６）が餅玄米を検出すると白度選択スイッチ（２４）の選択にかかわらず上白スイッチ（２４ａ）と標準スイッチ（２４ｂ）の間の精白度で精白処理する構成にしたことを特徴とする請求項１又は請求項２記載の自動籾摺精米設備。
【発明の詳細な説明】
【技術分野】
【０００１】
本発明は、自動籾摺精米設備に関するものである。
【背景技術】
【０００２】
自動籾摺精米施設において、穀粒が検出面の近傍にあると静電容量が変化することにより籾と玄米の種別を判別する静電容量式のセンサを設け、このセンサの検出結果により利用者の籾と玄米の選択ボタンの誤操作によるトラブルを防止するものは公知である（特許文献１）。
【特許文献１】特開平１１−２１６３７６号公報
【発明の開示】
【発明が解決しようとする課題】
【０００３】
前記静電容量式のセンサでは、籾と玄米の識別はできるが、うるち玄米と餅玄米とを判別するのが困難であった。
本発明はうるち玄米と餅玄米とを判別できるようして多くの種類の穀粒を自動精米処理できるようにすることを目的とする。また、餅を判別した際に適切な精米処理を行なうことができるようにすることを課題とする。
【課題を解決するための手段】
【０００４】
請求項１の発明は、籾摺装置（７）と、籾摺装置（７）の後工程にある精米装置（１０）と、光源（５２ａ）及び光源（５２ａ）を穀粒に照射して透過した光を受光する太陽電池パネル（５２ｂ）からなる穀粒検出器（５２）と、前記透過した光量によって変化する太陽電池パネル（５２ｂ）の発電量を検出し、該発電量から籾、うるち玄米、餅玄米の別を判別する穀粒判別手段（２６）とを設けた自動籾摺精米設備とする。
【０００５】
前記構成によると、穀粒検出器（５２）の太陽電池パネル（５２ｂ）の発電量から穀粒判別手段（２６）により籾、うるち玄米、もち玄米と判別される。そして、判別結果に応じて籾は籾摺装置（７）で籾摺され、次いで精米装置（１０）で精米され、うるち玄米と餅玄米は籾摺工程を行なわないで精米装置（１０）で精米される。
【０００６】
請求項２の発明は、籾摺装置（７）の前工程に籾又は玄米を投入する穀粒投入容器（２）を設け、籾摺装置（７）と精米装置との間の工程に玄米を一時貯留する玄米貯留容器（１３）を設け、穀粒検出器（５２）を前記穀粒投入容器（２）と玄米貯留容器（１３）のいずれにも設けたことを特徴とする請求項１記載の自動籾摺精米設備とする。
【０００７】
この構成によると、穀粒投入容器（２）の穀粒検出器（５２）及び穀粒判別手段（２６）で籾とうるち玄米と餅玄米を判別する。判別結果に応じて籾は籾摺装置（７）で籾摺されてから玄米貯留容器（１３）に収容され、うるち玄米と餅玄米は籾摺装置（７）で籾摺りされないで玄米貯留容器に収容される。そして、穀粒投入容器（２）の穀粒検出器（５２）で籾を判別した場合に、玄米貯留容器（１３）内の穀粒検出器（５２）及び穀粒判別手段（２６）で一時貯留された玄米が餅玄米かうるち玄米かを判別する。
【０００８】
請求項３の発明は、精米装置（１０）の精白度を設定する白度選択スイッチ（２４）を設け、白度選択スイッチ（２４）は精白度の高い順に上白スイッチ（２４ａ）と標準スイッチ（２４ｂ）と八分スイッチ（２４Ｃ）を設け、穀粒判別手段（２６）が餅玄米を検出すると白度選択スイッチ（２４）の選択にかかわらず上白スイッチ（２４ａ）と標準スイッチ（２４ｂ）の間の精白度で精白処理する構成にしたことを特徴とする請求項１又は請求項２記載の自動籾摺精米設備とする。
【０００９】
この構成によると、穀粒判別手段（２６）が餅玄米を検出すると白度選択スイッチ（２４）の選択にかかわらず上白スイッチ（２４ａ）と標準スイッチ（２４ｂ）の間の精白度で精白処理する。
【発明の効果】
【００１０】
請求項１の発明によると、籾と玄米のみならずうるち玄米と餅玄米とを判別することができるため、多くの種類の穀粒を自動精米処理できるようにすることができる。
請求項２の発明によると、穀粒投入容器（２）に投入したのが餅の籾の場合でも、籾摺工程後に玄米貯留容器（１３）でうるち玄米か餅玄米かを判別することができる。
【００１１】
請求項３の発明によると、餅玄米を判別した場合に、餅玄米に適した精白度で精白を行なうことができる。
【発明を実施するための最良の形態】
【００１２】
本発明の実施の形態を図面に基づき説明する。
まず、図１と図２に基づき自動籾摺精米施設の全体構成について説明する。図１は自動籾摺精米施設の平面図、図２に作業工程図である。
【００１３】
自動籾摺精米施設は、建屋Ｈ内を操作室Ｈａ側と機械室Ｈｂ側とに仕切り壁１により仕切られている。この操作室Ｈａ側には、穀粒投入容器２、操作盤３、白米タンク４を設け、機械室Ｈｂ側には、供給樋５、第一昇降機６、籾摺装置７、風選部８、石抜き機１２、第二昇降機９、精米装置１０、糠処理部１１等を設けている。
【００１４】
また、操作室Ｈａ側には穀粒袋置き台１６、穀粒投入容器２をそれぞれ配置し、穀粒投入容器２の底部の供給樋５は供給ラセン２ａを内装し、また、供給樋５の終端側を揚穀手段である第一昇降機６に連通し、第一昇降機６の上部を籾摺装置７に連通する構成としている。
【００１５】
籾摺装置７は一対の籾摺ロール７ｃ，７ｃを設け、籾摺装置７の下方には風選装置８、石抜き機１２を配設している。一対の籾摺ロール７ｃ，７ｃは互いに逆方向に回転駆動され、籾摺ロール７ｃ，７ｃのロール間隙がロール間隙調節モータ（図示せず）の正逆回転により開閉調節できる周知の構成である。
【００１６】
風選装置８は、籾殻を機外に排出する排塵筒８ａを設けている。
また、石抜機１２は斜設した揺動選別板１２ｂと、下部に配設している送風ファン１２ｃ等から構成されている。そして、揺動選別板１２ｂの穀粒取出側と第二昇降機９とを連通し、第二昇降機９と玄米貯留容器１３とを連通する構成である。
【００１７】
玄米貯留容器１３の下方には精米装置１０を設け、精米装置の精白米排出側は白米タンク４に連通し、操作室Ｈａ側から白米を取り出すように構成している。
糠処理装置１１は、精米装置１０の下方に設けられていている糠送風ファン（図示せず）と、糠送風ファン（図示せず）からサイクロン１１ｂに糠を搬送する糠送風筒１１ｃと、サイクロン１１ｂの下部に落下した糠を収納する糠袋１１ｇにより構成されている。
【００１８】
操作室Ｈａの操作盤３には、コイン金額表示灯２１、コインメック２２、白度選択ボタン２４を設けている。白度選択ボタン２４は精白度の高い順に上白２４ａ，標準２４ｂ，八分２４ｃを設けている。そして、この操作盤３の内部には、各部駆動モータ等を制御する制御部（ＣＰＵ）２６を備えている。
【００１９】
次に、穀粒検出器５２の構成と穀粒判別について説明する。
穀粒投入容器２の側壁に、かつ異物混入防止網Ｓの下方に穀粒検出器５２を設ける。穀粒検出器５２は光源５２ａと、太陽電池パネル５２ｂと、光源５２ａを内装する光源ボックス５２ｃと、太陽電池パネル５２ｂを内装する太陽電池パネルボックス５２ｄａとを設けている。光源ボックス５１ｂと太陽電池パネルボックス５１ａとの間には穀粒が通過する設定幅ｖの検出通路５ｅを設けている。そして、光源ボックス５２ｃと太陽電池パネルボックス５２ｄの検出通路側は透明に構成している。
【００２０】
しかして、光源５２ａからの光を検出通路５１を通過する穀粒を透過して太陽電池パネル５２ｂに照射し、太陽電池パネル５２ｂの発電量をアナログ変換器５３を経由して制御部２６に入力する。そして、制御部２６により太陽電池パネル５２ｂの発電量を検出し、投入穀粒無しの空状態（ｋ）、穀粒有無状態（ｈ）、うるち玄米（ｉ）、もち玄米（ｊ）及び籾（ｋ）の別に判別する。
【００２１】
また、穀粒検出器５２は玄米貯留容器１３の側壁にも同様に取り付けられている。
次に、前記籾摺精米施設の作用について説明する。
まず、利用者が投入する原料がうるち又は餅の籾の場合について説明する。料金のコイン等を起動手段であるコインメック２２の投入口に投入し、次に籾を穀粒投入容器２に投入し、白度選択ボタン２４ａ，２４ｂ，２４ｃのいずれかを選択して精白度を設定する。
【００２２】
籾が穀粒検出器５２の検出通路５２ｅを通過し、制御部２６が籾（ｋ）を判別すると、籾摺ロール７ｃのロール間隙初期設定制御が開始され、籾摺ロール７ｃが籾摺り作業を行なえる初期間隙が設定される。
【００２３】
ロール間隙の初期設定が終了すると、駆動用モータが起動され、籾摺装置７、石抜き機１２、第一昇降機６、第二昇降機９、供給ラセン２ａ、精米装置１０が起動される。しかして、穀粒投入容器２に投入された原料籾は供給ラセン２ａにより第一昇降機６に搬送され、第一昇降機６で揚穀されて籾摺装置７に供給され、籾摺ロール７ｃに供給され、既に駆動されている籾摺ロール７ｃ，７ｃにより籾摺される。
【００２４】
籾摺ロール７ｃで籾摺された摺落米は、下方に風選装置８に供給され選別風により風選され、玄米に若干未脱ぷ籾が混ざった混合米は石抜き機１２に供給される。石抜き機１２に供給された混合米は揺動選別板１２ｂで混入している石が選別され、第二昇降機９に供給される。
【００２５】
第二昇降機９で揚穀された混合米は玄米貯留容器１３に供給される。そこで、穀粒検出器５１及び制御部２６でうるち玄米（ｉ）か餅玄米（ｊ）かが判別される。うるち玄米（ｉ）と判別された場合には玄米貯留容器１３内の混合米は精米装置１０で白度選択ボタン２４で選択された精白度になるように精白処理がなされる。
【００２６】
餅玄米（ｊ）と判別された場合には利用者が白度選択ボタン２４のいずれを選択しても精米装置１０の精白度を上白２４ａと標準２４ｂの間の精白度になるように制御部２６で制御され精白処理がなされる。
【００２７】
精白された白米は、白米タンク４に搬送され、操作室ｈａ側に回収される。また、精白作業の際に発生する糠は糠送風ファン（図示せず）により糠処理装置１１に空気搬送され、サイクロン１１ｂを経て糠袋１１ｇに回収される。
【００２８】
穀粒投入容器２の穀粒検出器５２が穀粒有無検出（ｈ）の発電量を上回ると、穀粒無しと制御部２６が判定し、まず供給ラセン５ａが停止し、所定時間遅れて第一昇降機６と第二昇降機９が停止し、次いで、所定時間遅れて籾摺装置７、風選装置８及び石抜き機１２が停止し、更に所定時間遅れて精米装置１０が停止する。また、精米装置１０が停止するタイミングは玄米貯留容器１３の穀粒検出器５２の発電量が穀粒有無検出（ｈ）を上回り制御部２６が穀粒無しと判定してから設定時間経過して玄米貯留容器１３内の玄米の精米処理を終了してから停止するようにする。
【００２９】
次に、利用者が穀粒投入容器２にうるち玄米か餅玄米を投入した場合について説明する。
料金のコイン等を起動手段であるコインメック２２の投入口に投入し、次にうるち玄米か餅玄米を穀粒投入容器２に投入し、白度選択ボタン２４の上白２４ａ，標準２４ｂ，八分２４ｃのいずれかを選択して精白度を設定する。
【００３０】
穀粒投入容器２内のうるち玄米か餅玄米が穀粒検出器５２の検出通路５１を通過し、制御部２６がうるち玄米（ｉ）か餅玄米（ｊ）を判別すると、籾摺ロール７ｃ，７ｃのロール間隙が拡開調節され、玄米は籾摺されずに籾摺ロール７ｃ，７ｃ間を通過し、石抜き機１２に供給される。その後、第二昇降機９、玄米貯留容器１３、精米装置１０を経て前記と同様に精米作業がなされて精白タンク４に取り出される。なお、制御部２６がうるち玄米を判別したときには白度選択ボタン２４の選択による精白度で精米装置１０で精白処理がなされ、制御部２６が餅玄米を判別すると、利用者が白度選択ボタン２４のいずれを選択しても精米装置１０の精白度を上白２４ａと標準２４ｂの間の精白度になるようにして精米処理がなされる。
【００３１】
精米作業終了時については籾の場合と略同様で、穀粒投入容器２の穀粒検出器５２が穀粒有無検出（ｈ）の発電量を上回ると、穀粒無しと制御部２６が判定し、まず供給ラセン５ａが停止し、所定時間遅れて第一昇降機６と第二昇降機９が停止し、次いで、所定時間遅れて籾摺装置７、風選装置８及び石抜き機１２が停止し、更に所定時間遅れて精米装置１０が停止する。精米装置１０が停止するタイミングは玄米貯留容器１３の穀粒検出器５２の発電量が穀粒有無検出（ｈ）を上回り制御部２６が穀粒無しと判定してから設定時間経過して玄米貯留容器１３内の玄米の精米処理を終了してから停止するようにする。
【００３２】
次に本実施の形態の効果について説明する。
利用者が餅玄米を精白する際に、餅米は白いイメージが強く、餅玄米の性状に関係なく、白度選択ボタン２４は上白２４ａを選定し籾摺精米作業や精米作業を開始することが多い。もち米は柔らかく胴割れの発生率が高く、このため精米装置が過負荷により停止する不具合が発生していた。
【００３３】
穀粒検出器５２の発電量により餅玄米と判別すると、白度選択ボタン２４のいずれを選択しても精米装置１０の精白度を上白２４ａと標準２４ｂの間の精白度になるようにして餅玄米に適した精米処理がなされることで、餅の白さを引き出す精白処理を行なうことができるものでありながら、上白２４ａを選択してうるち玄米よりも胴割れしやすい餅玄米の胴割れ等の不具合を低減することができる。
【００３４】
玄米貯留容器１３に穀粒検出器５２を設けることで、餅の籾を穀粒投入容器２に投入しても精米装置１０に供給する前に餅玄米であることを検出できるため、餅玄米に適した精白度で精白することが可能になる。
【００３５】
また、従来の静電容量式のセンサでは、籾と玄米の識別はできるが、穀粒無しと籾との識別をすることが難しかったが、太陽電池パネル型の穀粒検出器５２を採用することにより、穀粒有無の検出も容易に行なうことができるため、籾摺精米施設や精米装置の運転停止のタイミングの制御にも用いることができる。
【００３６】
次に、穀粒投入容器２の他の実施形態について説明する。
穀粒投入容器２の投入口の前側部に、昇降調節可能な載置台５６を設けている。この載置台５６は、上下動しない下部ボックス５６ａと、下部ボックス５６ａの外側に嵌合装着されていて上下動する上部ボックス５６ｂとで構成し、上部ボックス５６ａと下部ボックス５６ｂの間を微小空間として指等が入らないように構成している。
【００３７】
また、上部ボックス５６ａを昇降装置６１により昇降自在に構成し、昇降モータ（図示省略）により昇降装置６１を駆動し昇降可能に構成している。上部ボックス５６ａの原料載置部を例えばバネにより昇降自在に支持し、上部ボックス５６ａには重量検出スイッチ５７を設け、上部ボックス５６ａの原料載置部に原料が載置されると、載置部が下動し、重量検出スイッチ５７がＯＮするように構成している。
【００３８】
そして、重量検出スイッチ５７が原料の載置を検出すると、昇降モータ（図示省略）が作動して昇降装置６１が上昇作動し、上部ボックス５６ａが上昇し、上部ボックス５６ａの原料載置部と穀粒投入容器２の上端部とが略同じ高さになる。また、原料穀粒を穀粒投入容器２に供給し、重量検出スイッチ５７がＯＦＦすると、昇降モータ（図示省略）により昇降装置６１が下降作動し、上部ボックス５６ａが下降し下方位置に復帰するように構成している。前記構成によると、上部ボックス５６ａに載置した袋５８の位置を高くすることができ、穀粒投入容器２に穀粒を楽に投入することができる。
【００３９】
また、穀粒投入容器２の投入口の前側部に、補助ホッパ６３を上下回動自在に設けてもよい。穀粒投入容器２の投入口には補助ホッパ６３を左右方向の旋回軸６３回りに回動自在に軸支し、補助ホッパ６３の上部前側に原料載置台６３ｂを設けている。また補助ホッパ６３を下方に回動すると、補助ホッパ６３の原料載置台６３ｂの前側に投入口が開口し、原料穀粒を原料載置台６３ｂに置いた状態で補助ホッパ６３内に投入することができる。
【００４０】
また、補助ホッパ６３を上方に回動すると、補助ホッパ６３により穀粒投入容器２の投入口を閉鎖し、原料穀粒を穀粒投入容器２に供給するように構成している。また、補助ホッパ６３をモータ６４により回動可能に構成し、穀粒投入容器２の側方に設けたスイッチ（図示省略）操作によりモータ６４を駆動し、補助ホッパ６３をゆっくり上下回動するように構成している。
【００４１】
前記構成によると、スイッチをＯＮすることより、穀粒投入容器２を閉鎖している補助ホッパ６３を下方に回動し、利用者は補助ホッパ６３に原料穀粒を投入し、更にスイッチをＯＮすると、補助ホッパ６３が上方に回動し、原料穀粒が穀粒投入容器２に投入され、また、補助ホッパ６３により穀粒投入容器２の投入口を閉鎖することができる。従って、利用者は原料穀粒を楽に穀粒投入容器２に投入することができ、また、穀粒投入容器２を補助ホッパ６３により閉鎖するので、穀粒投入容器２への異物等の侵入を防止することができる。
【図面の簡単な説明】
【００４２】
【図１】自動籾摺精米施設の平面図
【図２】自動籾摺精米施設の工程図
【図３】穀粒投入容器及びその周辺を説明する側面図
【図４】穀粒検出器を説明する図
【図５】操作盤の正面図
【図６】穀粒検出器による発電量と穀粒種別との関係を示す図
【図７】穀粒投入容器、載置台の斜視図
【図８】穀粒投入容器部の斜視図
【図９】載置台の切断正面図
【符号の説明】
【００４３】
２      穀粒投入容器
７      籾摺装置
１０      精米装置
１３      玄米貯留容器
２４ａ，２４ｂ，２４ｃ      白度選択スイッチ（上白・標準・八分）
２６      穀粒判別手段（制御部）
５２      穀粒検出器
５２ａ    光源
５２ｂ    太陽電池パネル
【図１】
2008194557.tif 000003
【図２】
2008194557.tif 000004
【図３】
2008194557.tif 000005
【図４】
2008194557.tif 000006
【図５】
2008194557.tif 000007
【図６】
2008194557.tif 000008
【図７】
2008194557.tif 000009
【図８】
2008194557.tif 000010
【図９】
2008194557.tif 000011